Podtech/llm-jp-corpus-v4-ja_patent huggingface dataset:
(57)【要約】      （修正有）【課題】同軸ケーブル及び多芯ケーブルの網出し線処理が容易にできるピンセットを提供する。【解決手段】ピンセット本体１の先端の一方に垂直な突起部（凸状部）２を設け、又もう片方の先端に凹状部３を設ける。網出し線は円筒状になっており、又網出し線同士が交差しているので、使用に当っては、ピンセットの先端の凹状部を円筒状になっている網出し線の下側に差し込んで網出し線が交差しているところで、ピンセットの先端の突起部（凸状部）があたる様にピンセットをつまみ網出し線を引っ張る。すると網出し線は棒状になり、切断、加工が容易になる。なお、該ピンセットの素材は鉄又はステンレスが良い。【選択図】図２
0003151456.tif 000002
【実用新案登録請求の範囲】
【請求項１】
ピンセット本体の先端の一方に垂直な突起部（凸状部）を設け、又もう片方の先端に凹状部を設けた同軸ケーブル及び多芯ケーブルの網出し線処理ピンセット。
【考案の詳細な説明】
【技術分野】
【０００１】  本考案は、突起部（凸状部）と凹状部をピンセットの先端に持った治具で同軸ケーブル及び多芯ケーブルの網出し線の処理に関するものである。
【背景技術】
【０００２】  同軸ケーブル及び多芯ケーブルの網出し線の処理は千枚通しを主に用いていたが、この場合網出し線のほつれ又は断線が起き接栓等の接続の際、具合が悪かった。
【考案の開示】
【考案が解決しようとする課題】
【０００３】  同軸ケーブル及び多芯ケーブルの網出し線は、網の部分がしっかり組んであるため、簡単にほぐせない様になっており手間のかかる構造になっている。網出し線部分をつまんでひっかけることにより、前途の欠点を解決しようとするものである。
【課題を解決するための手段】
【０００４】  本考案は、同軸ケーブル及び多芯ケーブルの網出し線部分にピンセットの先端部の一方を差し込んで、ピンセットをつまみ引っ張ることで網出し線をほぐし問題点を解決している。
【考案の効果】
【０００５】  上述の様に、考案の同軸ケーブル及び多芯ケーブルの網出し線処理ピンセットを用いることで、網出し線の処理がきれいに短時間にできることに役立っている。
【考案を実施するための最良の形態】
【０００６】  網出し線は円筒状になっており、又網出し線同しが交差しているので、ピンセットの先端の凹状部を円筒状になっている網出し線の下側に差し込んで網出し線が交差しているところで、ピンセットの先端の突起部（凸状部）があたる様にピンセットをつまみ網出し線を引っ張る。すると網出し線は棒状になり、切断、加工が容易になる。なお、素材は鉄又はステンレスが良い。
【実施例】
【０００７】  以下、添付図面に従って実施例を説明する。１は同軸ケーブル及び多芯ケーブルの網出し線処理ピンセットの本体である。３の凹状部を網出し線の下側に差し込み、２の突起部（凸状部）を網出し線の上側から互いに接触する様にピンセットをつまみ、次に引っ張ることで網出し線はほぐされる。【０００８】  本考案の実施例は上述の如き構成からなるものであり、図５に示すように同軸ケーブル及び多芯ケーブルの網出し線処理に用いられる。
【図面の簡単な説明】
【０００９】
【図１】本考案の正面図
【図２】本考案の側面図
【図３】突起部（凸状部）拡大図
【図４】凹状部拡大図
【図５】実施例図
【符号の説明】
【００１０】  １  ピンセット本体
２  突起部（凸状部）
３  凹状部
【図１】
0003151456.tif 000003
【図２】
0003151456.tif 000004
【図３】
0003151456.tif 000005
【図４】
0003151456.tif 000006
【図５】
0003151456.tif 000007
(57)【要約】      （修正有）【課題】２箇所の書類収納スペースを持つクリアファイルを作成し、より多くの量の書類の整理に役立たせる中袋付クリアファイルを提供する。【解決手段】中袋付きクリアファイルＦの左辺ａは山折になっており、その間に予め袋状に加工を施したＯＰＰ袋１をセットし、底辺ｂで圧着されている。そのため左辺ａと底辺ｂは閉じた状態になっている。上辺ｄと右辺ｃまた、その間にセットされたＯＰＰ袋１は開口しているため、ここから書類等を出し入れすることができる。【選択図】図１
0003151457.tif 000002
【実用新案登録請求の範囲】
【請求項１】
２軸延伸したポリプロピレンフィルム（以下、ＯＰＰフィルムという）で作成した透明の袋をフィルムシート材料で作成したクリアファイルの間に固定し加工することで、通常のクリアファイルに書類の分類機能を持たせることを可能としたところを特徴とする中袋付きクリアファイル
【請求項２】
前記の材料に対する印刷は、オフセット印刷を用いて絵や文字、写真などを印刷した請求項１に記載の中袋付きクリアファイル
【考案の詳細な説明】
【技術分野】
【０００１】  本考案は主として、フイルムシート材料に対して多目的に使用できる利便性の高いノベルティー商品に関するものである。
【背景技術】
【０００２】  従来の中面に仕切のついたクリアファイルは、クリアファイルに仕切を施し、分類機能を持たせるために、クリアファイルと同一のフィルムシート材料を用いていた。【０００３】  従来の中面に仕切のついたクリアファイルは、一般的に厚さが０．２ｍｍのフィルムシート材料を用いてクリアファイルに仕切を施していた。
【考案が解決しようとする課題】
【０００４】  従来の中面に仕切のついたクリアファイルは、一般的に厚さが０．２ｍｍのクリアファイルに用いられるのと同一のフィルムシート材料を用いてクリアファイルに仕切を施していた。そのために製品完成時の厚さが、クリアファイルの約１．５倍程度になるという課題があった。
【０００５】  少なからずプラスチック製品は廃棄処理の段階で環境に負荷をかけてしまうという課題を持っているが、本考案である中袋付きクリアファイルの材料シート素材を再生樹脂材料もしくはトウモロコシ等から製造されるＰＬＡ《ポリ乳酸》を主原料とした生分解性プラスチック材料を使用して作成することで環境負荷の課題を解決することができる。
【課題を解決するための手段】
【０００６】  書類分類のためにクリアファイルに施されていた仕切を、一般的にクリアファイルに用いられるフィルムシートよりも薄く、予め袋状に加工されているＯＰＰフィルムを用いて作成することで、収納時のスペースをとらず、かつ、より多くの種類の書類を保管、分別することが可能となる。
【考案実施の形態】
【０００７】  図１は本考案の中袋付きクリアファイル（Ｆ）の視図である。図１で中袋付きクリアファイル（Ｆ）の左辺（ａ）は山折になっており、その間に予め袋状に加工を施したＯＰＰ袋（１）をセットし、底辺（ｂ）で圧着されている。そのため左辺（ａ）と底辺（ｂ）は閉じた状態になっている。上辺（ｄ）と右辺（ｃ）また、その間にセットされたＯＰＰ袋（１）は開口しているため、ここから書類等を出し入れすることができる。
【０００８】  図２は本考案の中袋式クリアファイル（Ｆ）の展開図である。図１で中袋式クリアファイル（Ｆ）は１枚のフィルムシートを折り曲げ、その間に予め袋状に加工したＯＰＰ袋（１）をセットし、底辺（ｂ）を圧着することで右辺（ｃ）ととＯＰＰ袋（１）の上部に開口部を持つことが出来、従来のクリアファイルと同等の外形寸法でありながら２倍に相当する収納力をもち、さらにクリアファイルの間にセットされたＯＰＰ袋（１）がクリアファイル内の仕切の役目を果たすことから、書類の分別性能を高めることが出来る。
【０００９】  この中袋式クリアファイル（Ｆ）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果
を更に高めることができる。
【図面の簡単な説明】
【００１０】
【図１】本考案の中袋式クリアファイルの視図。
【図２】図１の中袋式クリアファイルの展開図
【符号の説明】
【００１１】Ｆ  中袋式クリアファイル
１  ＯＰＰ袋
ａ  左辺
ｂ  底辺
ｃ  右辺
ｄ  上辺
【図１】
0003151457.tif 000003
【図２】
0003151457.tif 000004
(57)【要約】      （修正有）【課題】後続の自動車へ、ありがとう、の文字で謝意を表する謝意表示灯を提供する。【解決手段】２個の乾電池１を２個直列に接続した電源をコード２で引出して配線し、そのコードの中間にスイッチ３を設け、スイッチは運転者が操作ができる位置に設置して、スイッチのコードの先に、ありがとう、と表した謝意表示灯４に接続する。その謝意表示灯はリアガラスの内側に、進路をゆずった自動車が一見できるように設置し、運転者がスイッチを入れることで謝意表示灯が点灯して、ありがとう、の文字を電球６で文字板のうら面から照らし、謝意を具体的に表す事ができるようにして、謝意表示灯を構成する。【選択図】図７
0003151458.tif 000002
【実用新案登録請求の範囲】
【請求項１】
乾電池２個を直列に接続した電源をコードで引出して配線し、コードの中間にスイッチを運転者が運転中に操作可能な位置に設置して、スイッチのコードの先に、謝意表示灯を接続して、その謝意表示灯の文字板には、ありがとう、の文字をうら面に書き、その謝意表示灯はリアガラスの内側に、進路をゆずった自動車が一見できる位置に設置し、運転者がスイッチを入れることで謝意表示灯が点灯して、ありがとう、の文字を文字板のうら面から電球で照すことを特徴とする自動車に設置する謝意表示灯。
【考案の詳細な説明】
【技術分野】
【０００１】本考案は、自動車に謝意を表す専用の謝意表示灯を設置し、その謝意表示灯の文字板には、ありがとう、と文字を書き、その文字を謝意表示灯の電球で照らすことで、文字が鮮明に見えて、進路をゆずった自動車へ謝意を表す、自動車に設置する謝意表示灯に関するものである。
【背景技術】
【０００２】従来より脇の道路から、幹線道路へ進入した自動車が、道路をゆずった幹線道路の自動車へ、謝意を表す手段として、ハザートランプを点滅している。
【考案の概要】
【考案が解決しようとする課題】
【０００３】しかし、ハザートランプを点滅して、謝意を表すことは用途外使用であることから、ありがとう、とストレートに謝意を表すのことが望ましい。そこで、ありがとう、と表した専用の謝意表示灯４を設置して解決しようとするものである。
【課題を解決するための手段】
【０００４】本考案は、乾電池１を２個直列に接続した電源をコード２で引出し、コードは運転の妨げにならない位置の運転席側に配線し、コードの中間にスイッチ３を運転者が運転中に操作可能な位置に設置し、スイッチのコードの先に謝意表示灯４を接続して、その謝意表示灯の文字板６には、ありがとう、の文字をうら面に書き、その謝意表示灯をリアガラスの内側に進路をゆずった自動車が一見できるように設置し、運転者がスイッチを入れることで謝意表示灯が点灯して、ありがとう、の文字が文字板のうら面から電球５で照らされ鮮明に見えるこにより、道路をゆずった自動車へ謝意を表すこととなる。
【考案の効果】
【０００５】謝意表示灯４で、ありがとう、とストレートに謝意を表すことにより、自動車相互間に和やかな雰囲気が想定されクルマ社会に、ゆとり運転、思いやり運転、ひいては安全運転の効果に役立つ。
【図面の簡単な説明】
【０００６】
【図１】  自動車を後方から見た謝意表示灯の配置図
【図２】  謝意表示灯の文字板の図
【図３】  謝意表示灯の内部の電球配置図
【図４】  謝意表示灯を横から見た内部の図
【図５】  スイッチの配置図
【図６】  車内を横から見た配線図
【図７】  謝意表示灯の構成図
【考案を実施するための形態】
【０００７】乾電池２個を直列に接続して、グローブボックスに収納したその乾電池から電源をコードで引出し、コードは運転の妨げにならない位置の運転席に配線し、配線したコードを固定し、コードの中間にスイッチを運転者が運転中に操作できる位置に設置し、そのコードの床面の配線部分はコード保護のため透明なビニールのくだに収めて、コードの先に謝意表示灯を接続して、その謝意表示灯に文字が見えにくい不透明なプラスチックの文字板のうら面に、ありがとう、と文字を書き、謝意表示灯の内部に複数の電球を取付け、その謝意表示灯４はリアガラスの内側に進路をゆずった自動車が、ありがとう、の文字が一見できる位置に設置し、運転者がスイッチを入れることで謝意表示灯が点灯して、ありがとう、の文字が電球で照らされ鮮明に見えて、道路をゆずった自動車へ謝意を表す形態となる。
【実施例】
【０００８】以下添付図面に従って実施例を説明する。乾電池１を２個直列に接続した電源を、コード２で引出し運転席へ配線して、運転席に設置したスイッチ３を運転者が入れることにより、謝意表示灯４の電球６が点灯して、文字板５のうら側から文字を照らすため、ありがとう、の文字が鮮明に見える。
【産業上の利用可能性】
【０００９】車種に合わせて、コードの長短を調整して謝意表示灯４を用いることにより、乗用車、バスなどの多様な車種に適用できる。
【符号の説明】
【００１０】  １乾電池
２コード
３スイッチ
４謝意表示灯
５文字板
６電球
【図１】
0003151458.tif 000003
【図２】
0003151458.tif 000004
【図３】
0003151458.tif 000005
【図４】
0003151458.tif 000006
【図５】
0003151458.tif 000007
【図６】
0003151458.tif 000008
【図７】
0003151458.tif 000009
(57)【要約】      （修正有）【課題】カッターの刃を手帳の中に収納出来るようにした収納ケースを提供する。【解決手段】手帳表紙の裏面に収納ケース裏面の接着面で接着し、収納ケースにカッターの刃を入れる。カッターが必要な時は、収納ケース表面のＵ字形に切り取った部分からカッターの刃を指で押さえ、そのままスライドさせてカッターの刃を上に出す。少し出して、手帳を閉じ手帳を柄の代わりに持って切ってもよく、全部だして刃だけで使ってもよい。使い終わったら収納ケースに収めて置く。【選択図】図３
0003151455.tif 000002
【実用新案登録請求の範囲】
【請求項１】
薄での丈夫な素材で作った  カッターの刃がちょうど入る袋状のケース▲１▼の表面をＵ字形状に切り抜き▲２▼  裏面を接着面▲３▼とした  手帳用カッターの刃収納ケース。
【考案の詳細な説明】
【技術分野】
【０００１】本案はカッターの刃を手帳の中に収納出来るようにしたケースの考案である。
【背景技術】
【０００２】従来、手帳の間に挟める程  薄いカッターは無かった、またいろんなタイプのカッターが市販されているが、殆どの人がペンと手帳は持ち歩くが常にカッターを携帯している訳ではなく  日常のちょっとしたことで切る物があれば便利と思う事が誰しもあった、ただ  かったーの刃をそのまま手帳に挟んで持ち歩くのは  落ちる心配もあるし危険でもあった、
【考案の開示】
【考案が解決しようする課題】
【０００３】本案はカッターの刃を手帳に挟んで持ち歩けるようにし、それによってかさばらないようにし、しかも落ちにくく  出し入れしやすいようにしようというもので  カッターの刃がちょうど入る薄での材質で作ったケースの中にカッターの刃を入れ  それを手帳の内部に貼り付けられるようにし、カッターの刃が取り出しやすいようにケースの表面をＵ字形に切り取った構造をした考案である。
【課題を解決するための手段】
【０００４】本案は  カッターの刃が。ちょうど入る袋状で薄での材質で作ったケースで、表面はＵ字形状に切り抜き、裏面は接着面とした形状の手帳用カッターの刃収納ケースである。
【考案の効果】
【０００５】手帳やペンは殆どの人が持ち歩いているがカッターを持ち歩いている人は少ない  日常のちょっとしたことで切る物があれば便利ということがある、そういうとき手帳内部に収納されている事に気づいて  便利である。
【考案を実施するための最良の形態】
【０００６】手帳表紙の裏面に収納ケース裏面の接着面で接着し  収納ケースにカッターの刃を入れる、カッターが必要な時は  収納ケース表面のＵ字形に切り取った部分からカッターの刃を指で押さえ  そのままスライドさせてカッターの刃を上に出す  少し出して  手帳を閉じ手帳を柄の代わりに持って切ってもよく  全部だして刃だけで使ってもよい、使い終わったら収納ケースに収めて置く。【０００７】本案は。上記のような構造をしたものを基本とするが  収納したカッターの刃の指で触れる部分の一点に滑り止めテープを貼り付けておくと気が付かないうちに出てきてしまう心配が無く  スライドさせるとき出しやすくなる。【０００８】
【図面の簡単な説明】
【０００９】
【図１】  本考案の平面図
【図２】  本考案の側面図
【図３】  本考案使用状況の斜視図
【符号の説明】▲１▼    ケース
▲２▼    Ｕ字形に切り取った部分
▲３▼    接着面
▲４▼    カッターの刃
【図１】
0003151455.tif 000003
【図２】
0003151455.tif 000004
【図３】
0003151455.tif 000005
(57)【要約】【課題】プルトップ缶詰を容易にかつ安全に開けることができる缶詰開け具を提供する。【解決手段】滑り止めを付けることによってプルトップの穴に止まり、てこの原理を応用することにより容易にプルトップ付き缶詰を開けることができるようになった。【選択図】図３
0003151433.tif 000002
【実用新案登録請求の範囲】
【請求項１】
金属のへら状の細長い板の上にゴムの滑り止めをつけることを特徴とする  プルトップ付缶詰開け具。
【考案の詳細な説明】
【技術分野】
【０００１】本項案はプルトップ付缶詰を開ける時に使用される道具に関する
【背景技術】
【０００２】従来プルトップ付缶詰を開けるのによい開け具がなかった、それは缶詰の大きさ、かたちがいろいろあった。
【考案の開示】
【考案が解決しょうとする課題】
【０００３】女性や老人には手でプルトップ缶詰を開けるのが簡単でないという問題点があった。
【課題を解決するための手段】
【０００４】本考案にかかるプルトップ付き缶詰開け具は金属ののへらじょうの細長い板の上にゴムの滑り止めを付けることを特徴とする。
【考案の効果】
【０００５】本体の先部と滑り止めをプルトップの穴に入れ滑り止めをプルトップの穴にあて本体の後部を上にあげれば、先部、滑り止め、後部によりてこの原理で簡単に缶詰を開けることができる。
【図面の簡単な説明】
【０００６】
【図１】本考案したブルトップ付き缶詰開け具の平面図である。
【図２】本考案したブルトップ付き缶詰開け具の側面図である。
【図３】本考案したプルトップ付き缶詰開け具の使用状況を示す斜視図である。
【符号の説明】
【０００７】１    本体
２    滑り止め
３    先部
４    後部
５    プルトップ付き缶詰
【図１】
0003151433.tif 000003
【図２】
0003151433.tif 000004
【図３】
0003151433.tif 000005
(57)【要約】      （修正有）【課題】台所の三角コーナーを廃止できる、不織りゴミパックつり下げ口付きスポンジ置きラックを提供する。【解決手段】スポンジ置きラックの右側半分の底の部分を切り取り、三角コーナー用不織りゴミパックをつり下げる口を開けて不織りゴミパックをつり下げることで、スポンジ置きラックと三角コーナーの不織りゴミパックを一体化させたことを特徴とする。【選択図】図３
0003151431.tif 000002
【実用新案登録請求の範囲】
【請求項１】
スポンジ置きラックと三角コーナーの不織りゴミパックを一体化させたことを特徴とする台所用多機能スポンジ置きラック
【考案の詳細な説明】
【技術分野】
【０００１】  本考案は台所用品に関するものである。
【背景技術】
【０００２】  従来、三角コーナーは不織りゴミパックを被せ生ごみを投入水切りして、一日の終わりにゴミパックごと廃棄して、三角コーナー本体は軽く水洗い若しくは洗剤洗いして新しいゴミパックを被せ翌日の使用に備えていた。
【考案の概要】
【考案が解決しようとする課題】
【０００３】    三角コーナーは１週間も使用すると三角コーナー本体に汚れ（ヌメリ、黒ずみ）が発生して塩素漂白をしないと汚れが落ちず毎日の家事にとって三角コーナーの維持管理の労力は決して小さくないものであった。
【課題を解決するための手段】
【０００４】  三角コーナーの廃止、それには三角コーナーとスポンジ置きラックとを合体させ三角コーナー機能をスポンジ置きラックに持たせる。すなわち三角コーナーに不織りゴミパックを被せて使用していたものをスポンジ置きラックに不織りゴミパックをつり下げられるようにした新多機能スポンジ置きラックを製造。
【考案の効果】
【０００５】  三角コーナーの廃止により三角コーナー自体の定期的清掃（塩素漂白）をしなくて済むようになった
【図面の簡単な説明】
【０００６】
【図１】本考案のスポンジ置きラックに三角コーナー用不織りゴミパックをつり下げる口を設けた斜視図。
【図２】従来の三角コーナーに不織りゴミパックを被せてある斜視図。
【図３】本考案のスポンジ置きラックに、三角コーナー用不織りゴミパックをつり下げた斜視図。
【考案を実施するための形態】
【０００７】  図１のようにスポンジ置きラックの右側半分の底の部分を切り取り、三角コーナー用不織りゴミパックをつり下げる口を開け、図３のように不織りゴミパックをつり下げ生ゴミを投入水切りできるようにしたのである。
【実施例】
【０００８】  以下、添付図面に従ってー実施例を説明する。図１はスポンジ置きラック本体、１は左側スポンジ置き部、２は右側スポンジ置き部を切り取り不織りゴミパックをつり下げられるように開けた口、３は不織りゴミパック、４は今回廃止する三角コーナー。
【符号の説明】
【０００９】  １  スポンジ置きラック
２  ゴミパックつり下げ口
３  ゴミパック
４  三角コーナー
【図１】
0003151431.tif 000003
【図２】
0003151431.tif 000004
【図３】
0003151431.tif 000005
【手続補正書】
【提出日】平成21年3月23日(2009.3.23)
【手続補正１】
【補正対象書類名】実用新案登録請求の範囲
【補正対象項目名】全文
【補正方法】変更
【補正の内容】
【実用新案登録請求の範囲】
【請求項１】
スポンジ置きラックの右側半分の底の部分を切り取り、三角コーナー用不織りゴミパックをつり下げる口を開けて不織りゴミパックをつり下げることで、スポンジ置きラックと三角コーナーの不織りゴミパックを一体化させたことを特徴とする台所用多機能スポンジ置きラック。
(57)【要約】      （修正有）【課題】死角をなくすことで安全に走行出来て事故防止になる車両用フロントガラス止受け部を提供する。【解決手段】死角を無くす為に透明ガラス及び透明プラスチックを使い見通しの展望がよくなり特に交差点での左折と右折の交通事故防止になる。フロントガラスの左右止受け部を透明にすることによって死角がなくなり自動車の運転がしやすくなる。今までの金属より強固なプラスチック又は強固なガラスを使用することにより強度を損なわずに視界が改善できる。【選択図】図１
0003151438.tif 000002
【実用新案登録請求の範囲】
【請求項１】
自動車及びトラツクのフロントガラスの左右の受け止部を透明ガラス及び硬質プラスチツクにして死角を無くして見通しを良くして交通事故防止に重要な装置
【考案の詳細な説明】
【技術の分野】
【０００１】本考案は自動車及びトラックのフロントガラスの左右止受部を透明ガラス及び硬質プラスチックにして死角を無くして見通しを良くするものである。
【背景技術】
【０００２】運転する際、死角がないことで安全に走行出来て事故防止になる。
【先行技術文献】
【特許文献】
【０００３】前述の欠点、死角を無くすための手段であります。
【考案が解決しようとする課題】
【０００４】本考案は死角を無くす為に透明ガラス及び透明プラスチックを使い見通しの展望がよくなり特に交差点での左折と右折の交通事故防止になります。
【考案の効果】
【０００５】フロントガラスの左右止受け部を本考案の透明にすることによって死角がなくなり自動車の運転がしやすくなる。
【考案を実施するための最良の形態】
【０００６】本考案は今までの金属より強固なプラスチック又は強固なガラスを使用することにより強度を損なわずに視界が改善ができる。
【図面の簡単な説明】
【０００７】
【図１】本考案のフロントガラスの左右止受け部を透明プラスチック及び透明ガラスに改良する部分の正面図です。
【図２】透明に改良する部分の側面図です。
【符号の説明】
【０００８】１と２の間を透明に改良する部分
３と４の間を透明に改良する部分
５は車体部分
６はフロントガラス部分
【図１】
0003151438.tif 000003
【図２】
0003151438.tif 000004
(57)【要約】【課題】円筒型の回転式粘着ローラーの集塵の付いた、粘着紙を簡単にはがし新しい粘着紙に切り替えることが出来る円筒型の回転式粘着ローラーを提供します。【解決手段】円筒型の回転式粘着ローラーの一端に穴又は金具を設け細い紐又は糸を取り付け、使用する前に粘着紙の切り取りミシン線の５ｍｍ〜１．５ｃｍ中に粘着紙の端Ａから端Ｂに細い紐又は糸を直線貼着する、このとき細い紐又糸は粘着紙より少し長めにする。【選択図】図１
0003151463.tif 000002
【実用新案登録請求の範囲】
【請求項１】
円筒型の回転式粘着ローラーの本体に、細い紐又は糸を取り付けたことを特徴とする円筒型の回転式粘着ローラー。
【請求項２】
粘着紙の切り取りミシン線の０．５〜１．５ｃｍ内側に細い紐又は糸を直線貼し切り取り線の方向にずらしてゆくことで、集塵の付いた粘着紙と下の新しい粘着紙の間に隙間が出来ることを特徴とする請求項１記載の円筒型の回転式粘着ローラー。
【考案の詳細な説明】
【技術分野】
【０００１】  本考案は部屋、カーペット、毛布、衣服のゴミや花粉などを粘着紙の粘着力によって、集塵し集塵が終わるとその粘着紙を捨てる方式の円筒型の回転式粘着ローラーに関するものである。
【背景技術】
【０００２】従来の円筒型の回転式粘着ローラーには汚れて不要になった粘着紙をめくる方法として、同粘着ローラーの一端にその方向の一か所に切り込みを設け、続いてその延長上を他端にかけてミシン目、切れ目を直線的に設けている。【０００３】カーペット、毛布、衣服、部屋などの上を転がしながら集塵し終わると、前記粘着ローラーに予め設けてある切り込み部をつまんで、粘着紙の一枚をめくり始める。しかしながら下の粘着紙に集塵の付いた粘着紙が張り付いて簡単にめくれない。
【考案の概要】
【考案が解決しようとする課題】
【０００４】回転式粘着ローラーの集塵の付いた、粘着紙を簡単にはがし新しい粘着紙に切り替えることが出来る粘着ローラーを提供する。
【課題を解決するための手段】
【０００５】回転式粘着ローラーの一端に穴又は金具を取り付け細い紐又は糸を、ゴミの集塵する前に粘着紙の切り取りミシン線の５ｍｍ〜１・５ｃｍ中に粘着紙の端から端に直線貼着する、このとき細い紐又糸は粘着紙より少し長めにする。
【考案の効果】
【０００６】集塵した粘着紙を取り替えるとき、細い紐又は糸を切り口の方向に徐々に引くことで汚れた粘着紙と下の新しい粘着紙の間に隙間ができ、簡単に汚れた粘着紙を切り取ることができる
【考案を実施するための形態】
【０００７】以下図面を参照しながら実施の形態に関して説明する。本考案のローラー本体は市販されている物を使用するもので、ローラー本体の図  １にある３の接続部に細い紐又は糸を取り付けられる穴又は金具を設ける。
【０００８】ローラー本体に取り付けた細い紐又は糸を粘着紙の切り取りミシン線から内側０・５〜１．５ｃｍの間、図１のＡからＢに直線貼着する
【０００９】ローラー本体に取り付けた細い紐又は糸は粘着紙よりも長くする。
【００１０】ローラー本体に新しいスペア粘着紙を取り替えるときは、図１のように粘着紙の切り取りミシン線が３接続部より５ｍｍ〜１．５ｃｍ上になるように取り付ける。
【図面の簡単な説明】
【００１１】
【図１】３接続部に取り付けた５細い紐又は糸をＡからＢに直線貼着した円筒型の回転式粘着ローラー全体図
【図２】５細い紐又は糸をＢから切り口の方向に引く途中の回転式粘着ローラー全体図
【符号の説明】
【００１２】（１）  ミシン切り取り線
（２）  円筒型の回転式粘着ローラー本体
（３）  細い紐又は糸の接続部
（４）  粘着紙
（５）  隙間
（６）  軸部
（７）  細い紐又は糸
（８）  Ａ細い紐又は糸の右端、Ｂ細い紐又は糸の左端
【図１】
0003151463.tif 000003
【図２】
0003151463.tif 000004
(57)【要約】      （修正有）【課題】蟹捕獲装置に蟹が本能的に身を隠す目的で進入したがる形状の進入口を有した巣箱を装う箱型装置を提供する。【解決手段】蟹捕獲用の箱型装置であって、本体１に取っ手と開閉扉３そしてストッパー４とスプリングそれから錘６とファスナーを有する網が取り付けられたことを特徴とする。箱状をなした蟹捕獲装置に、郵便受けの差込口に似た開閉扉３を取り付け、蟹が自身の姿を隠したがるような巣箱を装うようにしたので、蟹捕獲装置自体に蟹をおびき寄せる機能を持たせることが可能となる。この蟹捕獲用の箱型装置を例えば海岸から海中に投入して使用することで、装置の容器内に餌を設置する手間を省き且つ餌を購入する際の出費を抑えての蟹漁をすることが可能となり、蟹漁に於ける漁具の準備や設置の省力化に有効である。【選択図】図１
0003151462.tif 000002
【実用新案登録請求の範囲】
【請求項１】
蟹捕獲用の箱型装置であって、装置前面に郵便受けの差込口に似た開閉扉が設けられると共に、装置上面に取っ手が取り付けられ、装置底面にファスナーつきの網及び錘が取り付けられたことを特徴とする蟹捕獲用の箱型装置。
【考案の詳細な説明】
【技術分野】
【０００１】  本考案は、漁業や個人の魚介類捕獲行為で使用されている、蟹を捕獲する目的で設計、製造された箱又は籠状の漁具に関する。
【背景技術】
【０００２】  従来、蟹漁をする時の漁具として使用される蟹捕獲装置は、その形状に様々な大きさや形をした物が生産され使用されている。しかしながら、それらは、単に容器内に蟹が入り込めるようにするための入口と獲った蟹を取り出すための取り出し口が設けられただけのものである。【０００３】  蟹両をする時の蟹捕獲装置の機能は、水中に於いてその容器内で蟹をおびき寄せて収容することである。この装置の漁具としての機能は、蟹がその容器内に進入することで発揮されるものであるが、それは、この装置の容器内に蟹をおびき寄せるための餌を設置した場合にのみ蟹をおびき寄せて収容する漁具として有効に働く機能であって、蟹捕獲装置自体は、蟹をおびき寄せる機能を有しない。【０００４】  なお、本考案に関連する公知技術として次の特許文献１を挙げることができる。【０００５】
【特許文献１】  特許公開平７−３１３０１６
【考案の開示】
【考案が解決しようとする課題】
【０００６】  上記の如く、従来技術に係る蟹漁をする時の蟹捕獲装置は、その容器内に蟹をおびき寄せるための餌を設置した場合にのみ蟹をおびき寄せて収容する漁具として有効に働く機能であり、この蟹捕獲装置自体は蟹をおびき寄せる機能を有しないので、この蟹捕獲装置をそのまま水中や水底に置いても、それだけでは蟹漁を行う事は難しい。【０００７】  このため、漁業や、個人の魚介類捕獲行為の際に用いられる蟹捕獲装置には、人が手間をかけてその容器内に蟹をおびき寄せるための餌を設置しなければならないのが現状である。【０００８】  本考案は、このような点を考慮し成された物であり、その目的は、蟹捕獲装置に、蟹が本能的に身を隠す目的で進入したがりそうな形状の進入口を有した巣箱（蟹の姿を遮蔽する実体）を装う機能を持たせることで、蟹をおびき寄せる餌の有無にかかわらず蟹を蟹捕獲装置で捕獲できるようにすることにある。
【課題を解決するための手段】
【０００９】  上記の目的を達成する本考案の箱型装置は、蟹捕獲用の箱型装置であって、装置前面に郵便受けの差込口に似た開閉扉が設けられるとともに、装置上面に取っ手が取り付けられ、装置底面にファスナー付きの網及び錘が取り付けられたことを特徴とする。
【考案の効果】
【００１０】  以上説明したように、本考案によれば、箱状をなした蟹捕獲装置に、郵便受けの差込口に似た開閉扉を取り付け、蟹が自身の姿を隠したがるような巣箱を装うようにしたので、蟹捕獲装置自体に蟹をおびき寄せる機能を持たせることが可能となる。この蟹捕獲用の箱型装置を例えば海岸から海中に投入して使用することで、装置の容器内に餌を設置する手間を省き且つ餌を購入する際の出費を抑えての蟹漁をすることが可能となり、蟹漁に於ける漁具の準備や設置の省力化に有効である。
【考案を実施するための最良の形態】
【００１１】  以下、本考案の実施の形態を図面に基づき詳細に説明する。【００１２】  図１から図４は、本考案の実施の形態に係り、図１はその外観斜視図、図２はその中央部の縦断面図、図３その下から視た外観図、図４はその開閉扉の外観斜視図である。【００１３】  図１、図２で示すように、本考案は、本体１に取っ手２と開閉扉３そしてストッパー４と錘６を取り付け、その本体１下部がファスナー８を装備した網７を設けたものである。【００１４】  図１で示すように、本体１は全体的に箱状の形状をなしている。【００１５】  図１で示すように、取っ手２は、その中央部が、紐やロープをかけやすいように、やや盛り上がるような曲がり方をした形状になっている。【００１６】  図１で示すように、本考案の蟹捕獲用の箱型装置前面に開けられた蟹進入口９に取り付けられた開閉扉３は、本体１側に取り付けられたストッパー４によって完全に閉塞することなく、蟹進入口９から蟹が本体１内部に入るか否か不明なほどの隙間を残した状態で静止するようになっている。【００１７】  図１、図４で示すように、本体１に取り付けられた開閉扉３は、その本体１内部に向って開き、その外部に向って閉じるような取り付け方がされていて、スプリング５の弾力によって普段は外側に向って閉じかかっているようになっている。【００１８】  図３で示すように、ファスナー８は、本体１内部に捕獲された蟹を取り出しやすい長さを有する。【００１９】  図１で示すように、錘６は、円筒形をしている。【００２０】  図３で示すように、本考案の蟹捕獲用の箱型装置下部面は、本体１内部の注排水をしやすくするために網７で構成されている。【００２１】  本考案の蟹捕獲用の箱型装置を構成する部品全ては、相対的に耐腐食性を有し、水に対して出来るだけ不溶な素材で造られている。
【産業上の利用可能性】
【００２２】  本考案は、漁具を製造、販売する産業分野で利用する事ができる。
【図面の簡単な説明】
【００２３】
【図１】  本考案の実施の形態に係る蟹捕獲用の箱型装置の外観斜視図である。
【図２】  図１の蟹捕獲用の箱型装置の中央部の縦断面図である。
【図３】  図１の蟹捕獲用の箱型装置の下から見た外観図である。
【図４】  図１の蟹捕獲用の箱型装置の開閉扉の外観斜視図である。
【符号の説明】
【００２４】  １        本体
２        取っ手
３        開閉扉
４        ストッパー
５        スプリング
６        錘
７        網
８        ファスナー
９        蟹進入口
【図１】
0003151462.tif 000003
【図２】
0003151462.tif 000004
【図３】
0003151462.tif 000005
【図４】
0003151462.tif 000006
(57)【要約】      （修正有）【課題】入浴時に疲れることなく手を湯から出しておける入浴補助具を提供する。【解決手段】ビニール樹脂のような軟質高分子材料、例えばポリ塩化ビニール等を用い、バルブ４を介し空気を封入して膨張可能な空気枕形状とした本体１を形成し、当該本体１の横方向両端は、中央に手を挿入し得る穴２を設けた略Ｃ形状とする。穴２と他方の穴２の間隔は肩幅程度とする。咄嗟に手を抜かなければならない時に端部が切り離されている（切り離し部３）ことで容易に手が抜けるように穴２部分を略Ｃ形状としている。【選択図】図１
0003151461.tif 000002
【実用新案登録請求の範囲】
【請求項１】
ビニール樹脂のような軟質高分子材料、例えばポリ塩化ビニール等を用い、バルブを介し空気を封入して膨張可能な空気枕形状とした本体を形成し、当該本体の横方向両端は中央に手を挿入し得る穴を設けた略Ｃ形状としたことを特徴とする入浴補助具。
【考案の詳細な説明】
【技術分野】
【０００１】  本考案は、入浴時ののぼせ防止を目的とした入浴補助具に関するものである。
【背景技術】
【０００２】  人間の身体は、交感神経が優位に働くと活動的な状態になり、副交感神経が働くとリラックスした状態になる。このバランスが崩れると自律神経が乱れ、免疫力が低下してしまうといわれている。免疫力とは、体内に入った異物を排除しようとするシステムのことで、免疫力が弱まってくると体調を崩したり、病気になったりする。また免疫力はストレスに寄っても低下する。免疫力を低下させないように自律神経のバランスを整え、ストレスを上手に解消する方法として入浴の効果が挙げられる。【０００３】  リラックスするのに最適な入浴方法は、３８℃〜４０℃のぬるめのお湯に２０〜３０分つかることである。血管が広がり全身の血液循環が活発になると同時に、汗をかくことで体内の老廃物が体外に排出される。長めの入浴は「のぼせ」という問題もでてくる。のぼせを防止するために頭に冷たいタオルをおいておくとよいといわれているが、家庭の浴槽ではタオルも良いが、温泉等は良くそうにタオルの持込は禁止されているところが多い。【０００４】  最近注目を浴びてきている入浴法は、肩までお湯に浸かる入浴の仕方を「全身浴」と言うのに対して、注目の入浴法は「半身浴」と呼ばれている。半身浴は、その名前の通り、半身つまり体のちょうど半分だけお湯に浸かるという入浴方法である。湯の温度も少し温めにして、時間をかけてゆっくりと入る、この半身浴はストレス解消や疲労回復に大変効果があるとされているが、中には風呂に入る時は熱いお湯に肩まで浸からないと風呂に入った気がしないという人々もいる。このような全身浴は当然のぼせの原因にもなるのであるが、出願人の永年の経験によれば、全身浴であっても、手を湯から出しておけば、のぼせることなく全身浴が出来ることがわかった。【０００５】  手は毛細血管が張り巡らされていて末梢血管が集中しており、血液量が多くなっているといわれている。手を湯から出して入浴すれば、末梢血管が集中している箇所を暖めずに血液循環の促進を抑えることが出来るのでのぼせを防止できるといわれている。即ち、手や腕は位置的に頭部の近くにあるため、手や腕を湯から出して入浴すると、手や腕がラジェーターになって頭にいく血流を冷やし、その結果、冷えた血液が脳に回りやすくなるといわれている。【０００６】  しかし、入浴時に手を湯から出すために差し上げておくということは疲れを覚えるものである。
【考案の開示】
【考案が解決しようとする課題】
【０００７】  解決しようとする問題点は、入浴時に疲れることなく手を湯から出しておけるようにすることである。
【課題を解決するための手段】
【０００８】  湯に補助具を浮かせ、その補助具を介して手を湯から出しておくことにより疲れることなく手を冷やす、これが課題を解決するための手段である。
【考案の効果】
【０００９】  本考案は、ビニール樹脂のような軟質高分子材料、例えばポリ塩化ビニール等を用い、バルブを介し空気を封入して膨張可能な空気枕形状とした本体を形成し、当該本体の横方向両端は中央に手を挿入し得る穴を設けた略Ｃ形状としたことを特徴とする入浴補助具であるから、入浴時に、当該補助具の両端の略Ｃ字形状部分の穴に両手を入れておけば、手は常時湯から出ており、末梢血管が集中している手を暖めずに血液循環の促進を抑えることから、手がラジェーターになって頭にいく血流を冷やし、その結果、冷えた血液が脳に回りやすくなることからのぼせを防止することが出来る。また入浴補助具として利用する意外に、入浴後に寝たりする時には枕として利用することが出来る。さらに、本考案に係る補助具は空気を封入して膨出せしめる形態であるので、非利用時には小さく折り畳んで携行することができる等、極めて顕著なる実用的効果を有するものである。
【考案を実施するための最良の形態】
【００１０】  ビニール樹脂のような軟質高分子材料、例えばポリ塩化ビニール等を用い、バルブを介し空気を封入して膨張可能な空気枕形状とした本体を形成し、当該本体の横方向両端は中央に手を挿入し得る穴を設けた略Ｃ形状としたことを特徴とする入浴補助具を呈せんとするものである。
【実施例１】
【００１１】  ビニール樹脂のような軟質高分子材料、例えばポリ塩化ビニール等を用い、バルブ４を介し空気を封入して膨張可能な空気枕形状とした本体１を形成し、当該本体１の横方向両端は、中央に手を挿入し得る穴２を設けた略Ｃ形状としている。穴２と他方の穴２の間隔は肩幅程度としている。穴２部分を略Ｃ形状としているのは、咄嗟に手を抜かなければならない時に端部が切り離されている（切り離し部３）ことで容易に手が抜けるようにしているためである。尚、本体１は本考案実施例の空気枕形状に限定を受けるものではない。
【産業上の利用可能性】
【００１２】  ビニール樹脂のような軟質高分子材料、例えばポリ塩化ビニール等を用い、バルブ５を介し空気を封入して膨張可能な空気枕形状とした本体１を形成し、当該本体１の横方向両端は中央に手を挿入し得る穴２を設けた略Ｃ形状としたことを特徴とする入浴補助具であるから、入浴時に、当該補助具の両端の略Ｃ字形状部分の穴２に両手を入れておけば、手は常時湯から出ており、末梢血管が集中している手を暖めずに血液循環の促進を抑えることから、手がラジェーターになって頭にいく血流を冷やし、その結果、冷えた血液が脳に回りやすくなることからのぼせを防止することが出来る。さらに、本考案に係る補助具は空気を封入して膨出せしめる形態であるので、非利用時には小さく折り畳んで携行することができるし、また入浴補助具として利用する意外に、入浴後に寝たりする時には枕として利用することが出来る。しかも浮輪、ビーチボール等を生産している会社においては新たなる商品となる等、産業上での利用可能性は極めて大きいものがある。
【図面の簡単な説明】
【００１４】
【図１】  入浴補助具の平面図
【図２】  入浴補助具の側面図
【図３】  使用状態を示す斜視図
【符号の説明】
【００１５】１  本体
２  穴
３  切り離し部
４  バルブ
【図１】
0003151461.tif 000003
【図２】
0003151461.tif 000004
【図３】
0003151461.tif 000005
(57)【要約】      （修正有）【課題】様々な襟もとにもやさしくフイットする、フック付き紙ナフキンを提供する。【解決手段】長方形からなる紙ナフキンの上部中央部に巾約１０センチ、高さ約１０センチのフック部１を設け、このフック部１は、ソフト紙を用いたことを特徴とする。【選択図】図１
0003151464.tif 000002
【実用新案登録請求の範囲】
【請求項１】
長方形からなる紙ナフキンの上部中央部に、巾約１０センチ、高さ約１０センチのフック部を設け、このフック部は、ソフト紙を用いたことを特徴とするフック付き紙ナフキン。
【考案の詳細な説明】
【技術分野】
【０００１】  本考案は、長方形にフック部を設けた紙ナフキンに関するものである。
【背景技術】
【０００２】  従来、紙ナフキンには、フックが付いたものはなかった。
【考案の開示】
【考案が解決しようとする課題】
【０００３】  そのために、次のような問題点があった。
胸もとに挟む場合、角部を差し込むことは抜けやすく、１辺を差し込むことはがさつく又盛りあがるなどフイットしないものである。
本考案は、これらの問題点を解決するためになされたものである。
【課題を解決するための手段】
【０００４】  長方形からなる紙ナフキンの上部中央部に、巾約１０センチ高さ約１０センチのフック部を設けるが、フック部は、柔らか滑らかな材質を用いたものにする。以上を特徴とするフック付き紙ナフキンである。
【考案の効果】
【０００５】  紐、ピンなど用いることもなく丸襟、Ｖ襟またネクタイ襟元にもフイットして、気持ち良く使用できる。
【考案を実施するための最良の形態】
【０００６】以下、本考案の実施の形態について説明する。
（イ）従来の紙ナフキンの材質の上に、テッシュのような柔らか滑らかな材質のフック部にする。
（ロ）長方形ナフキンとなる上部中央に巾約１０センチ、高さ約１０センチでフック部となる。
本考案は、以上のような構成で、これを使用するときは、フック部の折山線（３）を手前に折り、胸元に挟み込む。
【実施例１】
【０００７】  長方形の覆い部（２）の長さは、胸元から膝半分５０センチほどあると汚れに心配なく使用できることだが、短くても自由に作られる。
【実施例２】  主に、外食産業用のものである。
【図面の簡単な説明】
【０００８】
【図１】本考案の正面図
【図２】本考案の使用図
【符号の説明】
【０００９】    １  フック部
２  覆い部
３  フック部折り山線
【図１】
0003151464.tif 000003
【図２】
0003151464.tif 000004
(57)【要約】      （修正有）【課題】車輌ランプの改良構造を提供する。【解決手段】車輌ランプ１は、ランプ座１０と回路板２０とからなる。ランプ座は、頂端が回路板を溶接している。回路板は、複数の固定孔２１を有し、固定孔はそれぞれ、固定片２２を挿設し、固定片により錐体を形成し、固定片表面にＬＥＤ発光ダイオード２３を配し、ＬＥＤ発光ダイオードが発光するとき、発射される光源の照射角度が広角度となる様に構成する。【選択図】図２
0003151747.tif 000002
【実用新案登録請求の範囲】
【請求項１】
車輌ランプの改良構造であって、
頂端が回路板を溶接しているランプ座と、
複数の固定孔を有し、前記固定孔はそれぞれ、固定片を挿設し、前記固定片により錐体を形成し、前記固定片表面にLED発光ダイオードを溶接し、前記LED発光ダイオードが発光するとき、発射される光源の照射角度が広い回路板と、
からなることを特徴とする車輌ランプの改良構造。
【請求項２】
前記固定片上に、反射鏡面を蓋合し、発光する光源は前記反射鏡面を経て、前方に射出することを特徴とする請求項１に記載の車輌ランプの改良構造。  
【請求項３】
前記反射鏡面は、更に、LED発光ダイオードを設置して、直射光源の強度を増加することを特徴とする請求項２に記載の車輌ランプの改良構造。
【請求項４】
前記LED発光ダイオードは、赤、オレンジ、黄色、緑、青、紫等、異なる色の光源により発光することを特徴とする請求項１に記載の車輌ランプの改良構造。
【考案の詳細な説明】
【技術分野】
【０００１】
本考案は、車輌ランプの改良構造に関するものであって、特に、照射角度が広いLEDランプ固定構造に関するものである。
【背景技術】
【０００２】
図１は公知のLEDランプ光源の照射を示す図で、LED発光ダイオード２３は直立式でランプ座１０上に結合される。この構造の欠点は、光源の照射角度が前方に集中して、照射範囲が狭すぎ、ブレーキランプに使用する時、斜め後方の車輌に対し、確実で、効果的な警告効果が達成されないことである。
【考案の概要】
【考案が解決しようとする課題】
【０００３】
本考案の目的は、車輌ランプの改良構造を提供し、上述の問題を解決することである。
【課題を解決するための手段】
【０００４】
本考案の車輌ランプの改良構造は、ランプ座と回路板とからなる。ランプ座は、頂端が回路板を溶接している。回路板は、複数の固定孔を有し、固定孔はそれぞれ、固定片を挿設し、固定片により錐体を形成し、固定片表面にLED発光ダイオードを溶接し、LED発光ダイオードが発光するとき、発射される光源は広い照射角度を形成する。
【考案の効果】
【０００５】
本考案の車輌ランプの改良構造は、LED発光ダイオードを光源とし、公知のハロゲンランプを代替して、節電、低電力消耗、および、省エネの効果を有し、また、本考案は、固定片により錐体を形成して、LED発光ダイオードを固定片表面に溶接する時、傾斜角度を形成し、LED発光ダイオードが発射する光源は斜めに射出して、照射角度が広くなる。
【図面の簡単な説明】
【０００６】
【図１】公知のLED光源照射を示す図である。
【図２】本考案の構造分解図である。
【図３】本考案の立体組み立て図である。
【図４】本考案の光源照射を示す図である。
【図５】本考案のもう一つの構造を示す図である。
【図６】本考案の更にもう一つの構造を示す図である。
【図７】本考案のまた別の構造を示す図である。
【実施例】
【０００７】
図２は、本考案の構造分解図で、車輌ランプ構造１は、ランプ座１０と回路板２０とからなる。
ランプ座１０は、頂端が回路板２０を溶接している。
回路板２０は、複数の固定孔２１を有し、固定孔２１はそれぞれ、固定片２２を挿設し、固定片２２により錐体を形成し、固定片２２表面にLED発光ダイオード２３を溶接し、LED発光ダイオード２３が発光するとき、発射される光源の照射角度は広い。固定片２２上に、反射鏡面３０を蓋合して、発光する光源が反射鏡面を経て前方に射出する。
図３は、本考案の立体組み立て図で、図４は、本考案の光源照射を示す図である。本考案は、固定片２２により錐体を形成し、LED発光ダイオード２３を固定片２２表面に溶接する時、傾斜角度を形成して、LED発光ダイオード２３が発射する光源が斜めに射出されて、広い照射角度を形成することができる。
この他、図５は、本発明のもう一つの実施例を示す図で、固定片２２上に反射鏡面３０を蓋合し、反射鏡面３０は、更に、LED発光ダイオード２３を設置して、直射光源の強度を増加する。
図６と図７は、それぞれ、本考案の更に別の構造を示す図で、固定片２２上に、一つ以上のLED発光ダイオード２３を溶接し、LED発光ダイオード２３は、赤、オレンジ、黄色、緑、青、紫等、異なる色の光源により発光する。
本考案は、産業利用価値があり、構造設計が簡単で、また、複数の発光ダイオードを固定片が形成する錐体に結合するので、照射光線が傾斜角度を形成して、広い照射角度を形成することができる。
本考案では好ましい実施例を前述の通り開示したが、これらは決して本考案に限定するものではなく、当該技術を熟知する者なら誰でも、本考案の精神と領域を脱しない範囲内で各種の変動や潤色を加えることができ、従って本考案の保護範囲は、実用新案請求の範囲で指定した内容を基準とする。
【符号の説明】
【０００８】
車輌ランプ構造１
ランプ座１０
回路板２０
固定孔２１
固定片２２
LED発光ダイオード２３
反射鏡面３０
【図１】
0003151747.tif 000003
【図２】
0003151747.tif 000004
【図３】
0003151747.tif 000005
【図４】
0003151747.tif 000006
【図５】
0003151747.tif 000007
【図６】
0003151747.tif 000008
【図７】
0003151747.tif 000009